(57)【特許請求の範囲】
【請求項１】
片側の側壁部の高さ寸法が反対側の側壁部の高さ寸法より小さい溝型フレーム材からなる上下の横フレームと左右の縦フレームを、各フレームの底壁部が外周側となるように方形に枠組みして方形枠体を形成し、この方形枠体に片側から方形のパネルを嵌め込むと共に、各フレームの片側の側壁部にパネル外れ防止用のアタッチ部材を付設したパネル取付構造体であって、
アタッチ部材が、取付基部と、この取付基部の片側に形成された側板部と、この取付基部の下側に形成された一対の脚部を有するものであって、これらの脚部を、各フレームの片側の側壁部の内側に形成された略Ｌ形の支持部に支持させると共に、これらの脚部に形成された屈曲係合部を、各フレームの片側の側壁部の内面に形成された係合凸部と上記略Ｌ型の支持部に形成された係合凸部に係合させて、アタッチ部材の側板部が各フレームの片側の側壁部の延長線上に位置するようにアタッチ部材を付設したことを特徴とするパネル取付構造体。
【請求項２】
アタッチ部材の取付基部を各フレームの略Ｌ型の支持部にビス止めしたことを特徴とする請求項１に記載のパネル取付構造体。
【請求項３】
各フレームに設けたアタッチ部材の側板部とパネルの端縁部との間に、バックアップ材とシーリング材を詰める一方、各フレームの反対側の側壁部とパネルの端縁部との間にゴムパッキンを挟み込んだことを特徴とする請求項１又は請求項２に記載のパネル取付構造体。
【請求項４】
各フレームの反対側の側壁部から内側に向かって、上面が片側の側壁部の先端と同じ高さの棚板部を突設したことを特徴とする請求項１ないし請求項３のいずれかに記載のパネル取付構造体。
【請求項５】
左右の縦フレームの両側壁部の内面間の間隔を、上下の横フレームの両側壁部の外面間の間隔と同一にし、左右の縦フレームの上下両端部の両側壁部の内面を平坦面にして、左右の縦フレームの上下両端部の両側壁部の間に上下の横フレームの両端部を嵌合すると共に、左右の縦フレームの上下両端部の底壁部に形成されたネジ挿通孔から、上下の横フレームの両側壁部の内側に形成された開環筒状部に、ネジをねじ込んで、方形枠体を形成したことを特徴とする請求項１ないし請求項４のいずれかに記載のパネル取付構造体。
【発明の詳細な説明】
【技術分野】
【０００１】
本発明は、方形枠体へのパネルの取付作業性が良好なパネル取付構造体に関し、特に、窓、壁などを構築する場合や扉を作製する場合に好適に採用されるパネル取付構造体に関する。
【背景技術】
【０００２】
近年、採光用の壁体として、透光性合成樹脂製のパネルを幅方向に複数枚接続し、上下の横フレームと左右の縦フレームを方形に枠組みしてなる方形枠体に嵌め込んだものが採用されるようになってきた。
【０００３】
本出願人も、採光用の壁体として、縦長の前板と、この前板の両側端から後方へ折れ曲がる左右の側板と、これらの側板の後端から内側へ折れ曲がるフランジ部とが一体に形成されてなる合成樹脂製の壁材を複数枚並べ、下方に設けられた断面が凹形のレール材と、上方に設けられた断面が逆凹形のレール材とに、各壁材の下端部と上端部をそれぞれ嵌め込んで立設し、各壁材の前板下端部と下方のレール材の前側板部との間にバックアップ材を押し込んで、このバックアップ材の上方に生じた隙間にシーリング材を充填すると共に、各壁材の前板上端部と上方のレール材の前側板部との間にバックアップ材を押し込んで、このバックアップ材の下方に生じた隙間にシーリング材を充填し、各壁材の前板下端部と下方のレール材の後側板部との間、及び、各壁材の前板上端部と上方のレール材の後側板部との間に、壁材下端部固定用の固定部材と壁材上端部固定用の固定部材をそれぞれ圧入した構造の壁体を既に出願した（特許文献１）。
【特許文献１】特開２００３−３２１９２３号公報
【発明の開示】
【発明が解決しようとする課題】
【０００４】
しかしながら、従来の壁体のように、透光性合成樹脂製のパネルを幅方向に複数枚接続して方形枠体に外れないように嵌め込んで取付ける作業は容易でなく、前記特許文献１の壁体の場合も、上下のレール材と左右のレール材とで方形枠体を予め形成すると、最後の一枚の壁材を嵌め込む作業がし辛いという問題があった。
【０００５】
また、前記特許文献１の壁体は、壁材を持ち上げて壁材の上端部を上方のレール材の内部に突っ込みながら、壁材の下端部を下方のレール材の前側板部を越えて下方のレール材の真上まで移動させ、壁材を下げて、壁材の上下両端部を上下のレール材の内部に嵌め込むものであるから、上方のレール材として、前後の側板部の高さ寸法が下方のレール材の前後の側板部の高さ寸法よりも大きいレール材を使用する必要があり、上下のレール材として同じレール材を共用できないという問題もあった。
【０００６】
本発明は上記事情の下になされたものであって、その解決しようとする主たる課題は、方形枠体へのパネルの取付作業性が良く、上下の横フレームとして同じフレーム材を共用できるパネル取付構造体を提供することにある。
【課題を解決するための手段】
【０００７】
上記課題を解決するため、本発明に係るパネル取付構造体は、片側の側壁部の高さ寸法が反対側の側壁部の高さ寸法より小さい溝型フレーム材からなる上下の横フレームと左右の縦フレームを、各フレームの底壁部が外周側となるように方形に枠組みして方形枠体を形成し、この方形枠体に片側から方形のパネルを嵌め込むと共に、各フレームの片側の側壁部にパネル外れ防止用のアタッチ部材を付設したパネル取付構造体であって、アタッチ部材が、取付基部と、この取付基部の片側に形成された側板部と、この取付基部の下側に形成された一対の脚部を有するものであって、これらの脚部を、各フレームの片側の側壁部の内側に形成された略Ｌ形の支持部に支持させると共に、これらの脚部に形成された屈曲係合部を、各フレームの片側の側壁部の内面に形成された係合凸部と上記略Ｌ型の支持部に形成された係合凸部に係合させて、アタッチ部材の側板部が各フレームの片側の側壁部の延長線上に位置するようにアタッチ部材を付設したことを特徴とするものである。
【０００８】
本発明のパネル取付構造体においては、アタッチ部材の取付基部を各フレームの略Ｌ型の支持部にビス止めすることが好ましい。
【０００９】
また、本発明のパネル取付構造体においては、各フレームに設けたアタッチ部材の側板部とパネルの端縁部との間に、バックアップ材とシーリング材を詰める一方、各フレームの反対側の側壁部とパネルの端縁部との間にゴムパッキンを挟み込むことが好ましい。そして、各フレームの反対側の側壁部から内側に向かって、上面が片側の側壁部の先端と同じ高さの棚板部を突設することが好ましい。
【００１０】
更に、本発明のパネル取付構造体においては、左右の縦フレームの両側壁部の内面間の間隔を、上下の横フレームの両側壁部の外面間の間隔と同一にし、左右の縦フレームの上下両端部の両側壁部の内面を平坦面にして、左右の縦フレームの上下両端部の両側壁部の間に上下の横フレームの両端部を嵌合すると共に、左右の縦フレームの上下両端部の底壁部に形成されたネジ挿通孔から、上下の横フレームの両側壁部の内側に形成された開環筒状部に、ネジをねじ込んで、方形枠体を形成することが好ましい。
【発明の効果】
【００１１】
本発明のパネル取付構造体は、片側の側壁部の高さ寸法が反対側の側壁部の高さ寸法より小さい溝型フレーム材からなる上下の横フレームと左右の縦フレームを、各フレームの底壁部が外周側となるように方形に枠組みして方形枠体を形成するため、該方形枠体に対応した寸法の方形のパネルを、該方形枠体に片側から横移動させて簡単に嵌め込むことができ、このようにパネルを嵌め込んでから、各フレームの片側の側壁部にパネル外れ防止用のアタッチ部材を付設することによって、パネルを該方形枠体に外れないように取付けることができる。従って、本発明のパネル取付構造体は、方形枠体へのパネル取付作業性が良好である。また、上記のようにパネルを横移動させて方形枠体に嵌め込んでからアタッチ部材を付設してパネルの外れを防止すると、前記特許文献１の壁体のように、上方のフレーム（レール材）として、側壁部の高さ寸法が下方のフレーム（レール材）の側壁部の高さ寸法より大きいものを使用することが不要となり、上下の横フレームとして同じフレーム材を共用することができる。
また、アタッチ部材として、取付基部と、この取付基部の片側に形成された側板部と、この取付基部の下側に形成された一対の脚部を有するアタッチ部材を使用し、このアタッチ部材の脚部を、各フレームの片側の側壁部の内側に形成された略Ｌ形の支持部に支持させると共に、これらの脚部に形成された屈曲係合部を、各フレームの片側の側壁部の内面に形成された係合凸部と上記略Ｌ型の支持部に形成された係合凸部に係合させて、アタッチ部材の側板部が各フレームの片側の側壁部の延長線上に位置するように付設することで、アタッチ部材の付設作業（取付作業）が簡単で、脱落し難く、アタッチ部材の側板部によってパネルが外れるのを防止することができる。
【００１２】
本発明のパネル取付構造体において、アタッチ部材の取付基部を各フレームの略Ｌ型の支持部にビス止めしたものは、アタッチ部材の脱落を確実に防止することができる。
【００１３】
また、本発明のパネル取付構造において、各フレームに設けたアタッチ部材の側板部とパネルの端縁部との間に、バックアップ材とシーリング材を詰める一方、各フレームの反対側の側壁部とパネルの端縁部との間にゴムパッキンを挟み込んだものは、シーリング材とゴムパッキンによって水密性や気密性を高めることができ、パネルのガタツキを防止することもできる。
【００１４】
そして、各フレームの反対側の側壁部から内側に向かって、上面が片側の側壁部の先端と同じ高さの棚板部を突設したものは、横移動させて方形枠内に嵌め込んだパネルを、下側の横フレームの棚板部によってそのままの高さで支持でき、パネルの下端縁が下側の横フレームの内部に落ち込むことがないので、側板部がパネルの外れ防止に必要最小限の高さ寸法に設定されたアタッチ部材によって、パネルを外れないように取付けることが可能となり、また、上側の横フレームや左右の縦フレームの棚板部によって、パネルの上方への移動や左右への移動を規制することも可能となる。
【００１５】
更に、左右の縦フレームの両側壁部の内面間の間隔を、上下の横フレームの両側壁部の外面間の間隔と同一にし、左右の縦フレームの上下両端部の両側壁部の内面を平坦面にして、左右の縦フレームの上下両端部の両側壁部の間に上下の横フレームの両端部を嵌合すると共に、左右の縦フレームの上下両端部の底壁部に形成されたネジ挿通孔から、上下の横フレームの両側壁部の内側に形成された開環筒状部に、ネジをねじ込んで方形枠体を形成したものは、方形枠体の組立作業を容易に行える利点がある。
【発明を実施するための最良の形態】
【００１６】
以下、図面を参照して本発明の具体的な実施形態を詳述する。
【００１７】
図１は本発明の一実施形態に係るパネル取付構造体の概略正面図、図２は同パネル取付構造体の縦断面図、図３は同パネル取付構造体の横断面図、図４は同パネル取付構造体の部分拡大正面図、図５は同パネル取付構造体に使用される溝型フレーム材とアタッチ部材を分解して示す断面図、図６は同パネル取付構造体のパネルの取付手順を説明する概略説明図、図７は同パネル取付構造体に使用されるパネルの斜視図、図８は同パネルの横断面図、図９は同パネルの接続部分の横断面図である。
【００１８】
このパネル取付構造体は、図１に示すように、方形枠体１０と、この方形枠体１０に嵌め込まれたパネル２と、このパネル２が外れるのを防止するアタッチ部材３などの主要部材からなるものであり、例えば、壁体、窓体、扉体などの用途に好ましく利用されるものである。
【００１９】
方形枠体１０は、図１に示すように、上下の横フレーム１Ａ，１Ａと左右の縦フレーム１Ｂ，１Ｂを方形に枠組みしたものであって、これらのフレーム１Ａ，１Ａ，１Ｂ，１Ｂはいずれも、図５に示すようなアルミニウム等の金属製の溝型フレーム材１からなるものである。
【００２０】
横フレーム１Ａ及び縦フレーム１Ｂとして使用される上記の溝型フレーム材１は、図５，図２，図３に示すように、片側の側壁部１ｃの高さ寸法Ｈｃが反対側の側壁部１ｄの高さ寸法Ｈｄより小さい溝型フレーム材であって、その底壁部１ｅにはＬ形の断面形状を有する一対の支脚部１ｆ，１ｆがフレーム材全長に亘って形成されている。そして、方形枠体１０の下側の横フレーム１Ａとして使用される溝型フレーム材１は、その底壁部１ｅの片側端に水抜き孔１ｇが形成されている。
【００２１】
また、溝型フレーム材１の片側の側壁部１ｃの内側には、後述するアタッチ部材３の一対の脚部３ｃ，３ｃを支持する断面略Ｌ形の支持部１ｈがフレーム材全長に亘って形成されている。この略Ｌ形支持部１ｈの立上り部の先端（上端）と片側の側壁部１ｃの先端（上端）は同じ高さとされており、側壁部１ｃの内面と該立上り部の対向面には、上記脚部３ｃ，３ｃに形成された屈曲係合部３ｄ，３ｄと係合する係合凸部１ｉ，１ｉが相対向して形成されている。
【００２２】
上記略Ｌ形支持部１ｈの付根部分の下面には、開環筒状部１ｊが側壁部１ｃの内側沿いにフレーム材全長に亘って形成されており、反対側の側壁部１ｄの内面にも、同様の開環筒状部１ｊがフレーム材全長に亘って形成されている。これらの開環筒状部１ｊ，１ｊは、後述するように上下左右のフレーム１Ａ，１Ａ，１Ｂ，１Ｂを方形に枠組みするときに、固定用のネジをねじ込むものである。尚、これらの開環筒状部１ｊ，１ｊは、左右の縦フレーム１Ｂ，１Ｂには不要なものであるから、図３に示すように、縦フレーム１Ｂ，１Ｂには形成されていない。
【００２３】
溝型フレーム材１の反対側の側壁部１ｄの内面には、上面が片側の側壁部１ｃの先端（上端）と同じ高さの棚板部１ｋが内側に向かってフレーム材全長に亘って突設されており、この棚板部１ｋの内側への突出寸法は、略Ｌ形支持部１ｈの立上り部と棚板部１ｋの先端との間に、後述するパネル２の接続用凸条２ｇが挿入される空間を確保できるような突出寸法とされている。この棚板部１ｋは、溝型フレーム材１を下側の横フレーム１Ａとして使用したときに、パネル２を下方から支える支持板としての役割を果たし、溝型フレーム材１を上側の横フレーム１Ａや左右の縦フレーム１Ｂ，１Ｂとして使用したときに、パネル２の上方への移動や左右への移動を規制する規制板としての役割を果たすものである。
【００２４】
更に、上記棚板部１ｋより上方の側壁部１ｄの内面には、複数の小リブ１ｍ，１ｎがフレーム材全長に亘って形成されており、これらの小リブ１ｍ，１ｎによって、後述するゴムパッキン１３が位置決めされると共に位置ズレが防止されるようになっている。
【００２５】
左右の縦フレーム１Ｂとして使用される溝型フレーム材１（以下、縦フレーム１Ｂという）は、開環筒状部１ｊ，１ｊが形成されていない点を除いて、上下の横フレーム１Ａとして使用される溝型フレーム材１（以下、横フレーム１Ａという）と実質的に同じ断面形状を有するものであるが、縦フレーム１Ｂの底壁部１ｅの幅寸法は、横フレーム１Ａの底壁部１ｅの幅寸法よりも両側壁部１ｃ，１ｄの厚み寸法分だけ拡大されており、縦フレーム１Ｂの両側壁部１ｃ，１ｄの内面間の間隔が、横フレーム１Ａの両側壁部１ｃ，１ｄの外面間の間隔と同一になっている。そして、縦フレーム１Ｂの上下両端部の両側壁部１ｃ，１ｄの内面は、略Ｌ形支持部１ｈ、係合凸部１ｉ、棚板部１ｋ、小リブ１ｍ，１ｎなどを切除することによって、平坦面とされている。
【００２６】
方形枠体１０は、上記のような溝型フレーム材１からなる上下の横フレーム１Ａ，１Ａと左右の縦フレーム１Ｂ，１Ｂを用いて、図１，図４に示すように、左右の縦フレーム１Ｂ，１Ｂの上下両端部の両側壁部１ｃ，１ｄの間（内面が平坦面とされた上下両端部の両側壁部の間）に、上下の横フレーム１Ａ，１Ａの両端部を嵌合して、各フレーム１Ａ，１Ａ，１Ｂ，１Ｂの底壁部１ｅが外周側となるように方形に枠組みすると共に、左右の縦フレーム１Ｂ，１Ｂの上下両端部の底壁部１ｅ，１ｅに形成されたネジ挿通孔から、上下の横フレーム１Ａ，１Ａの両側壁部１ｃ，１ｄの内側に形成された前記の開環筒状部１ｊ，１ｊに、固定用のネジ４をねじ込むことによって組立てられている。
【００２７】
このような方形枠体１０は、本発明のパネル取付構造体によって例えば窓体を構築する場合には、窓体を構築すべき外壁の方形開口部分に、各フレーム１Ａ，１Ａ，１Ｂ，１Ｂの片側の側壁部１ｃを屋外側にして設置される。そして、図２に示すように、上下のフレーム１Ａ，１Ａの底壁部１ｅ，１ｅがアンカーボルト５ａとナット５ｂによって方形開口部分の上下の内面６，６に固定され、図３に示すように、左右のフレーム１Ｂ，１Ｂの一対の支脚部１ｆ，１ｆが固定金具７によって方形開口部の左右の内面８，８に固定される。また、本発明のパネル取付構造体によって壁体を構築する場合は、壁体を構築すべき箇所に方形枠体１０が設置され、上記と同様に上下左右のフレーム１Ａ，１Ａ，１Ｂ，１Ｂが固定される。
【００２８】
上記の方形枠体１に嵌め込まれる方形のパネル２は、淡く着色したポリカーボネート（好ましくは紫外線吸収剤や光安定剤を配合して耐候性を高めたポリカーボネート）等の透光性樹脂を押出成形した採光性の良好なパネルであって、図７，図８に示すように、パネル表面層２ａとパネル裏面層２ｂとの間に多数の縦、横、斜めの隔壁部２ｃ，２ｄ，２ｅを設けたハニカム構造の中空パネルとされており、これらの隔壁部２ｃ，２ｄ，２ｅによって、パネル長さ方向に貫通する多数の中空部２ｆがパネル表面層２ａとパネル裏面層２ｂとの間に形成されたものである。このようなハニカム構造の中空パネル２は、軽量であるにもかかわらず実用的な荷重たわみ強度を備えており、また、採光性が良好であるにもかかわらず、淡く着色されていることと相俟って充分な隠蔽性を備えている。特に、パネル表面層２ａ及び／又はパネル裏面層２ｂ、場合によっては更に隔壁部２ｃ，２ｄ，２ｅをエンボス加工すると、隠蔽性を更に向上させることができる。
【００２９】
この中空パネル２の一側端には、略楕円環状の横断面を有する中空の接続用凸条２ｇがパネル全長に亘って形成されており、これに対応して、中空パネル２の他側端には、接続用凸条２ｇを嵌合させる略楕円開環状の接続用凹条２ｈがパネル全長に亘って形成されている。従って、図９に示すように中空パネル２の一側端の接続用凸条２ｇを、隣接する中空パネル２の他側端の接続用凹条２ｈに嵌合させるだけで、簡単に中空パネル２，２同士を幅方向に接続できるようになっている。尚、この中空パネル２の上下両端にアルミニウムテープなどを貼着して上下両端の中空開口部を封止すると、雨水の侵入や結露を防止することができ、断熱性を向上させることもできる。
【００３０】
この中空パネル２は、各フレーム１Ａ，１Ａ，１Ｂ，１Ｂの両側壁部１ｃ，１ｄの間隔よりも小さい厚みを有する必要があり、好ましくは、両側壁部１ｃ，１ｄの間隔の２／３程度の厚みを有するものが使用される。具体的には、各フレームとして両側壁部１ｃ，１ｄの間隔が６０ｍｍ程度の溝型フレーム材１が使用されるので、４０ｍｍ程度の厚み有する中空パネル２を用いることが好ましい。この中空パネル２の横（幅）寸法は特に限定されないが、持ち運びや取り扱いのし易さを考慮すると、５００ｍｍ程度であることが好ましく、また、中空パネル２の縦（長さ）寸法は、方形枠体１０における上下フレーム１Ａ，１Ａの片側の側壁部１ｃ，１ｃの先端間の寸法よりも極く僅かに短く、反対側の側壁部１ｄ，１ｄの先端間の寸法よりも長い寸法となるように切断される。
【００３１】
このようなパネル２は、方形枠体１０の横寸法に対応して複数枚（図１の実施形態では３枚）準備される。そして、これらのパネル２は、その縦（長さ）寸法が、方形枠体１０の片側（屋外側）の開口の縦寸法（上下フレーム１Ａ，１Ａの片側の側壁部１ｃ，１ｃの先端間の寸法）よりも極く僅かに小さいため、方形枠体１０に片側から横移動させて順々に嵌め込まれ、その接続用凸条２ｇを隣りのパネル２の接続用凹条２ｈに嵌合することによって幅方向に順々に接続される。このようにパネル２を方形枠体１０に嵌め込んで接続すると、図２に示すように、パネル２の下端が下側の横フレーム１Ａの棚板部１ｋと略Ｌ形支持部１ｈの立上り部によって下方から支持され、該フレーム１Ａの内部に落ち込むことなく、嵌め込まれた高さのままで方形枠体１０に取付けられることになる。そして、上側のフレーム１Ａや左右のフレーム１Ｂ，１Ｂの棚板部１ｋと略Ｌ形支持部１ｈの立上り部によって、パネル２の上方への移動や左右への移動が規制されることになる。また、図３に示すように、右端のパネル２の接続用凸条２ｇは、右側の縦フレーム１Ｂの棚板部１ｋと略Ｌ形支持部１ｈとの間から該縦フレーム１Ｂの内部へ嵌め込まれた状態となる。
【００３２】
上記のように方形枠体１０に嵌め込まれたパネル２は、各フレーム１Ａ，１Ａ，１Ｂ，１Ｂの反対側の側壁部１ｄの高さ寸法が大きいので、方形枠体１０の反対側（屋内側）に外れることはないが、片側の側壁部１ｃの高さ寸法が小さく、上下フレーム１Ａ，１Ａの側壁部１ｃ，１ｃの先端間の寸法がパネル２の縦寸法より僅かに大きいので、パネル２は方形枠体１０の片側（屋外側）に外れることになる。そこで、各フレーム１Ａ，１Ａ，１Ｂ，１Ｂの高さ寸法が小さい片側の側壁部１ｃにパネル外れ防止用のアタッチ部材３を付設し、パネル２が外れないようにしている。
【００３３】
このアタッチ部材３は、アルミニウム等の金属製の押出し型材からなるものであって、図５に示すように、取付基部３ａと、この取付基部３ａの片側から上向きに形成された側板部３ｂと、この取付基部３ａの下側に形成された一対の脚部３ｃ，３ｃを有しており、これらの脚部３ｃ，３ｃには屈曲係合部３ｄ，３ｄが形成されている。そして、下側の横フレーム１Ａに付設されるアタッチ部材３の取付基部３ａの片側端には、水切り片３ｅが形成されている。この水切り片３ｅは、上側の横フレーム１Ａや左右の縦フレーム１Ｂに付設されるアタッチ部材３には形成されていない。
【００３４】
上記アタッチ部材３は、図２，図３に示すように、その一対の脚部３ｃ，３ｃを上下左右のフレーム１Ａ，１Ａ，１Ｂ，１Ｂの略Ｌ形支持部１ｈに支持させると共に、該脚部３ｃ，３ｃに形成された屈曲係合部３ｄ，３ｄを、各フレームの片側の側壁部１ｃの内面に形成された前記係合凸部１ｉと、略Ｌ形支持部１ｈの立上り部の対向面に形成された前記係合凸部１ｉに係合させることによって、アタッチ部材３の側板部３ｂが各フレームの片側の側壁部１ｃの延長線上に位置するように付設され、脱落しないように、取付基部３ａがタッピングビス９で略Ｌ形支持部１ｈにビス止めされている。
【００３５】
そして、図２，図３に示すように、上下左右のフレーム１Ａ，１Ａ，１Ｂ，１Ｂに付設されたアタッチ部材３の側板部３ｂとパネル２の端縁部との間に、発泡ポリエチレン等の紐材からなるバックアップ材１１とシーリング材１２を詰め込み、各フレームの反対側の側壁部１ｄの先端部（小リブ１ｍ，１ｎが形成された先端部）とパネル２の端縁部との間に、エチレン−プロピレン−ジエンゴムなどのゴムパッキン１３を挟み込むことによって、パネル２がガタツキなく方形枠体１０に取付けられ、水密性や気密性が高められている。また、上下左右のフレーム１Ａ，１Ａ，１Ｂ，１Ｂの底壁部１ｅと、窓体を構築すべき外壁の方形開口部分の上下内面６，６及び左右内面８，８との間にも、バックアップ材１１とシーリング材１２が詰め込まれて、水密性等が高められている。
【００３６】
次に、図６を参照して、上記パネル取付構造体のパネルの取付手順について説明する。
【００３７】
先ず、（ａ）に示すように、方形枠体１０の片側（屋外側、図６では左側）からパネル２を横移動させて方形枠体１０に複数枚嵌め込みながらパネル２同士を接続し、各フレーム１Ａ，１Ａの反対側（図６では右側）の側壁部１ｄにパネル２の端縁部を押し付ける。そして、（ｂ）に示すように、パネル外れ防止用のアタッチ部材３を、その側板部３ｂが各フレーム１Ａ，１Ａの片側の側壁部１ｃの延長線上に位置するように、既述した要領で付設し、アタッチ部材３の取付基部３ａを略Ｌ形支持部１ｈにタッピングビス（不図示）でビス止めする。次いで、（ｃ）に示すように、パネル２を各フレーム１Ａ，１Ａの両側壁部１ｃ，１ｄの中間位置に移動させて、反対側の側壁部１ｄとパネル２の端縁部との間にゴムパッキン１３を挟み込み、更に、（ｄ）に示すように、片側の側壁部１ｃとパネル２の端縁部との間にバックアップ材１１とシーリング材１２を詰め込んで、パネルの取付作業を完了する。
【００３８】
以上のように、このパネル取付構造体は、方形枠体１０の枠組作業性、方形枠体１０へのパネル２の取付作業性、方形枠体１０の各フレームへのアタッチ部材３の付設（取付）作業性が良好であり、パネル２が外れたりガタついたりすることがなく、水密性等も高められるので、窓体や壁体などの構築に適している。そして、上下の横フレーム１Ａ，１Ａとして同じ溝型フレーム材を共用でき、左右の縦フレーム１Ｂ，１Ｂとして横フレームよりも両側壁部１ｃ，１ｄの厚さ分だけ幅広で且つ開環筒状部のない溝型フレーム材を共用できるので、フレーム材の種類が少なくなり、その分だけ材料費の節約も可能となる。
【００３９】
ところで、上記のパネル取付構造体に使用されるハニカム構造の中空パネル２は、刃物で比較的簡単に切り裂かれたり、バーナーやトーチで加熱すると軟化溶融して穴があくなど、破壊されやすいものであるため、故意に中空パネル２を破壊して人が侵入する心配がある。このような心配を解消するためには、図８に破線で示すように、侵入防止用条材２ｉを、人の侵入を阻止するに足る相互間隔をあけて、中空パネル２の厚さ方向中間部に位置する大きい中空部２ｆの幾つかに挿通し、各侵入防止用条材２ｉの両端を、中空パネル２の縦（長さ）方向両端に添設された板材（不図示）に固定して成る防犯用パネルを使用することが好ましい。また、場合によっては、侵入防止用条材２ｉの両端を方形枠体１０の上下の横フレーム１Ａ，１Ａに直接固定するようにしてもよい。
【００４０】
尚、本発明のパネル取付構造体に使用される方形のパネルは、上記の中空パネル２や防犯用パネルに限定されるものではなく、例えば、中実の一枚板や積層板なども使用することができる。また、パネルの材質も熱可塑性合成樹脂に限られず、ガラス、合板、無機ボードなど、種々の材質のパネルを使用することができる。
【図面の簡単な説明】
【００４１】
【図１】本発明の一実施形態に係るパネル取付構造体の概略正面図である。
【図２】同パネル取付構造体の縦断面図である。
【図３】同パネル取付構造体の横断面図である。
【図４】同パネル取付構造体の部分拡大正面図である。
【図５】同パネル取付構造体に使用される溝型フレーム材とアタッチ部材を分解して示す断面図である。
【図６】同パネル取付構造体のパネルの取付手順を説明する概略説明図である。
【図７】図７は同パネル取付構造体に使用されるパネルの斜視図である。
【図８】同パネルの横断面図である。
【図９】同パネルの接続部分の横断面図である。
【符号の説明】
【００４２】
１    溝型フレーム材
１Ａ  横フレーム
１Ｂ  縦フレーム
１ｃ  片側の側壁部
１ｄ  反対側の側壁部
１ｅ  底壁部
１ｈ  略Ｌ型の支持部
１ｉ  係合凸部
１ｊ  開環筒状部
１ｋ  棚板部
２    パネル
３    アタッチ部材
３ａ  取付基部
３ｂ  側板部
３ｃ  脚部
３ｄ  屈曲係合部
４    ネジ
９    ビス
１０  方形枠体
１１  バックアップ材
１２  シーリング材
１３  ゴムパッキン
Ｈｃ  片側の側壁部の高さ寸法
Ｈｄ  反対側の側壁部の高さ寸法
【図１】
0005060238.tif 000002
【図２】
0005060238.tif 000003
【図３】
0005060238.tif 000004
【図４】
0005060238.tif 000005
【図５】
0005060238.tif 000006
【図６】
0005060238.tif 000007
【図７】
0005060238.tif 000008
【図８】
0005060238.tif 000009
【図９】
0005060238.tif 000010